(57)【要約】【課題】ゴムリングのねじりによる弾性力を利用した簡単な構造で移動させて猫の興味をひく。【解決手段】本発明の猫用おもちゃ１は、テープを５巻き取り可能なリール２と、リール２を覆うとともに、リール２の対向する外周面側を挟み込むようにかけ渡されたゴムリング４の各端部をそれぞれ着脱自在に止着してリール２を浮動状に支持するカバー３とから構成され、リール２に一端が止着されて巻き回されたテープ５の先端がカバー３の引き出し口３ａを通して外方に引き出されている。そして、テープ５の引き出しによりリール２を回転させてゴムリング４をねじって弾性力を蓄積する一方、テープ５の巻き戻しによりゴムリング４の蓄積された弾性力でリール２を逆回転させて走行する。【選択図】図１
2012120514.tif 000002
【特許請求の範囲】
【請求項１】
テープを巻き取り可能なリールと、リールを覆うとともに、リールの対向する外周面側を挟み込むようにかけ渡されたゴムリングの各端部をそれぞれ着脱自在に止着してリールを浮動状に支持するカバーとから構成され、リールに一端が止着されて巻き回されたテープの先端がカバーの引き出し口を通して外方に引き出されてなり、テープの引き出しによりリールを回転させてゴムリングをねじって弾性力を蓄積する一方、テープの巻き戻しによりゴムリングの蓄積された弾性力でリールを逆回転させて走行することを特徴とする猫用おもちゃ。
【請求項２】
請求項１記載の猫用おもちゃにおいて、前記リールは、テープを巻き取り可能なバレルおよびバレルの両側に一体に設けられ、バレルの外径よりも大径のリムからなり、バレルおよびリブの直径方向にゴムリングを挿入する切り込みが形成されることを特徴とする猫用おもちゃ。
【発明の詳細な説明】
【技術分野】
【０００１】
この発明は、猫用おもちゃに関するものである。
【背景技術】
【０００２】
従来より、猫を遊ばせる猫用おもちゃが知られている。この猫用おもちゃは、ナイロンテープなどからなる飾りをロッドの先端にリードを介して連結し、飼い主がロッドを上下に振って猫の目の前で飾りを上下に揺らすことにより、動くものに興味を示す猫が飾りにじゃれつくことを利用するものである（例えば、特許文献１参照）。
【０００３】
また、飾りを把手の先端に針金を介して連結し、飼い主が把手を横方向に移動させることで飾りを床上で移動させ、動くものに興味を示す猫が飾りを追いかけてじゃれつくことを利用するものも提案されている（例えば、特許文献２参照）。
【先行技術文献】
【特許文献】
【０００４】
【特許文献１】特開２００１−２９９１２４号公報
【特許文献１】実用新案登録第３１５７７２９号公報
【発明の概要】
【発明が解決しようとする課題】
【０００５】
しかしながら、飾りは、飼い主によるロッドなどの操作に追従して移動し、人為的に移動させる必要がある。すなわち、猫がじゃれつくように、飾りを移動させ続けなければならず、飼い主の疲労を伴うものとなる。また、疲れたり、飽きてくると、操作がぞんざいになり、猫がじゃれつかなくなることも多い。
【０００６】
本発明は、このような問題点に鑑みてなされたもので、ゴムリングのねじりによる弾性力を利用した簡単な構造で移動させて猫の興味をひくことのできる猫用おもちゃを提供するものである。
【課題を解決するための手段】
【０００７】
本発明は、テープを巻き取り可能なリールと、リールを覆うとともに、リールの対向する外周面側を挟み込むようにかけ渡されたゴムリングの各端部をそれぞれ着脱自在に止着してリールを浮動状に支持するカバーとから構成され、リールに一端が止着されて巻き回されたテープの先端がカバーの引き出し口を通して外方に引き出されてなり、テープの引き出しによりリールを回転させてゴムリングをねじって弾性力を蓄積する一方、テープの巻き戻しによりゴムリングの蓄積された弾性力でリールを逆回転させて走行することを特徴とするものである。
【０００８】
本発明によれば、テープをロッドなどを利用して引き出せば、リールがテープの引き出し方向に回転し、ゴムリングをねじって弾性力を蓄積する。その後、テープを緩めれば、蓄積された弾性力を解放するようにリールを逆方向に回転させ、テープを巻き取る。この際、リールを床に接地させると、リールの回転によって走行する。移動する猫用おもちゃに興味を示した猫は、猫用おもちゃを追いかけ、左右の前肢を交互に動かして上方から押さえつけて手許に引き寄せようとする。前肢による押えを解除すると、ゴムリングのねじりによる弾性力が残っている場合には、再び動き出すことから、捕まえた獲物が逃げたようになり、猫は再び追いかけて捕まえようとする。
【０００９】
この結果、テープを引き上げる操作によってゴムリングをねじって弾性力を蓄積させる簡単な構造で移動させることができることから、移動するものに興味を示す猫の本能によってじゃれつかせることをができる。特に、床の状態によっては不規則に移動することから、猫の興味を高めることができる。
【００１０】
ここで、カバーを狩りの対象となるような小動物などを模した形状に形成したり、カバーに小動物などを模した生地などを被せると、より強く興味を示すことを期待できる。
【００１１】
本発明において、前記リールは、テープを巻き取り可能なバレルおよびバレルの両側に一体に設けられ、バレルの外径よりも大径のリムからなり、バレルおよびリムの直径方向にゴムリングを挿入する切り込みが形成されることが好ましい。これにより、簡単な構造でゴムリングを掛け渡すことができ、安価に製造できる。
【００１２】
この場合、リールの外周面にゴムなどの摩擦抵抗の大きな材質のタイヤを着脱自在に装着することにより、リールの回転駆動力を高めることができる。
【発明の効果】
【００１３】
本発明によれば、ゴムリングのねじりによる弾性力を利用した簡単な構造で移動させることができる。
【図面の簡単な説明】
【００１４】
【図１】本発明の猫用おもちゃの一実施形態を一部破断して示す斜視図である。
【図２】図１の猫用おもちゃの底面図である。
【図３】図１の猫用おもちゃの走行状態を一部破断して示す斜視図である。
【発明を実施するための形態】
【００１５】
以下、本発明の実施の形態を図面に基づいて説明する。
【００１６】
図１および図２には、本発明の猫用おもちゃ１の一実施形態が示されている。
【００１７】
この猫用おもちゃ１は、リール２と、リール２を覆うカバー３と、リール２の外周面側にかけ渡されてカバー３に各端部が着脱自在に止着されたゴムリング４と、リール２に一端が止着されて巻き回され、カバー３の引き出し口３ａから上方に引き出されたテープ５と、テープ５の他端が止着されたロッド６とから構成されている。
【００１８】
リール２は、円筒状のバレル２１および該バレル２１の両端に一体に設けられ、バレル２１の外径よりも若干大きな外径を有する幅狭円筒状のリム２２からなり、バレル２１およびリム２２には、直径方向に外周面側から設定深さの切り込み２ｘが形成されている。そして、リール２のバレル２１には、一端が止着されたテープ５が巻き回されている。
【００１９】
カバー３は、略半球状の殻体であって、下端縁部には、直径方向に対向してゴムリング４の止着部３１が形成されている他、その天頂部には、リール２に巻き回されたテープ５の先端を外方に引き出すための引き出し口３ａが形成されている。
【００２０】
このような猫用おもちゃ１は、リール２のバレル２１に一端を止着するとともに、リール２の対向する切り込み２ｘにわたってゴムリング４を嵌め込んでリム２２の外方に引き出した後、バレル２１にテープ５を巻き回し、次いで、ゴムリング４の各端部をカバー３の止着部３１にそれぞれ掛け回して止着する。そして、テープ５の先端をカバー３の引き出し口３ａから引き出してロッド６の先端に留めリングを介して連結して構成される。
【００２１】
このような猫用おもちゃ１においては、ロッド６を把握して上方に引き上げることにより、リール２のバレル２１に巻き回されたテープ５がカバー３の引き出し口３ａを通して引き出され、リール２はテープ５の引き出し方向に回転する。この際、各端部がカバー３の止着部３１に止着されてリール２の対向する切り込み２ｘに掛け渡されたゴムリング４がねじられて弾性変形し、その弾性力を蓄積する。
【００２２】
この状態で、ロッド６を下げてテープ５を緩めると、床面にリール２のリム２２外周面が接地していることにより、リール２はゴムリング４の蓄積された弾性力によって前述とは逆方向に回転する。すなわち、ゴムリング４は蓄積された弾性力を徐々に解放することにより、リール２は床を走行するとともに、バレル２１にテープ５を徐々に巻き取っていく。
【００２３】
ここで、床を走行する猫用おもちゃ１を見た猫は、動く猫用おもちゃ１に興味を示して追いかけ、左右の前肢を交互に動かして上方から押さえつけて捕まえ、手許に引き寄せようとしてじゃれつくものである。
【００２４】
なお、カバー３を狩りの対象となるような小動物などを模した形状に形成したり、カバー３に小動物などを模した生地などを被せたりすることもできる。
【００２５】
また、ゴムリング４が劣化した場合には、交換すればよい。この場合、テープ５をリール２のバレル２１の直径方向に形成した穴（図示せず）に挿通して、バレル２１に半周分巻き回して結束した後、切り込み２ｘにゴムリング４を嵌め込むことにより、簡単に交換することができる。
【符号の説明】
【００２６】
１  猫用おもちゃ
２  リール
２ｘ  切り込み
２１  バレル
２２  リム
３  カバー
３ａ  引き出し口
４  ゴムリング
５  テープ
【図１】
2012120514.tif 000003
【図２】
2012120514.tif 000004
【図３】
2012120514.tif 000005